(57)【要約】【課題】４８０Ｉ素材を１０８０Ｉにアップコンバートされた信号と１０８０Ｉ素材の信号を受信機側で判別することができるアップコンバート映像検出装置を提供する。【解決手段】１０８０Ｉ映像信号受信時に、サイドパネル付加の有無を検出してサイドパネルが付加されていると検出した場合には、受信した１０８０Ｉ映像信号が４８０Ｉ素材が１０８０Ｉにアップコンバートされていると判定する。【選択図】  図２
2004289753.tif 000002
【特許請求の範囲】
【請求項１】
ＨＤ映像を復号可能なアップコンバート映像検出装置において、受信したＳＤ映像素材がＨＤ映像にアップコンバートした映像信号であるか、ＨＤ映像素材をそのままＨＤ映像で送ってきた映像信号であるかを検出する検出手段を具備することを特徴とするアップコンバート映像検出装置。
【請求項２】
検出手段は、少なくともサイドパネルが付加されているかどうかを検出して、アップコンバートした映像かどうかを判断することを特徴とする請求項１記載のアップコンバート映像検出装置。
【請求項３】
検出手段は、サイドパネルが付加されているかどうかの検出の際に、少なくともＭＰＥＧで規定されているＡｓｐｅｃｔ＿Ｒａｔｉｏ＿Ｉｎｆｏｒｍａｔｉｏｎ情報を使うことを特徴とする請求項２記載のアップコンバート映像検出装置。
【請求項４】
検出手段は、サイドパネルが付加されているかどうかの検出の際に、レターボックス映像のように無画部に相当するような垂直方向の領域を使用しないことを特徴とする請求項２記載のアップコンバート映像検出装置。
【発明の詳細な説明】
【０００１】
【発明の属する技術分野】
本発明は、アップコンバート映像検出装置に関し、更に詳しくは、符号化されたＨＤ映像信号を受信側で復号するアップコンバート映像検出装置に関する。
【０００２】
【従来の技術】
従来、符号化されたＨＤ映像信号を受信側で復号する受信装置においてデジタルテレビジョン放送用受信装置標準規格ＡＲＩＢ  ＳＴＤ−Ｂ２１３．２版では、図６に示すように符号化パラメータの制約が規定されている。前記場合、ＨＤ映像はｓｅｑｕｅｎｃｅ＿ｈｅａｄｅｒのパラメータ値の一つである＝１０８０、７２０、ＳＤ映像は４８０である。
【０００３】
図６および符号化の国際標準であるＩＳＯ／ＩＥＣ１３８１８−２に基づき受信機側ではビットストリームからＭＰＥＧ２のデータ構造を解析し、例えばｓｅｑｕｅｎｃｅ＿ｈｅａｄｅｒのパラメータ値の一つであるｖｅｒｔｉｃａｌ＿ｓｉｚｅ＿ｖａｌｕｅより復号化すべき映像を判断し、復号後送信側の映像フォーマットに応じて高画質化等を実施していた（例えば、特許文献１参照）。
【０００４】
【特許文献１】
特開２００２−３３０３１３号公報
【０００５】
【発明が解決しようとする課題】
しかしながら、従来の受信装置では、例えば映像フォーマットが１０８０Ｉと判断された場合、１０８０Ｉ用の画質改善例えば１０８０Ｉ映像周波数帯域に応じたシャープネス等を実施、４８０Ｉと判断された場合は４８０Ｉ固有のクロスカラー除去や４８０Ｉ映像周波数帯域に応じたシャープネスは実施可能であるが、１０８０Ｉ映像が送り側で４８０Ｉ映像素材（特にＮＴＳＣ映像）から１０８０Ｉ映像にアップコンバートされたものに対しても同様に映像フォーマットを１０８０Ｉと判断するために１０８０Ｉ用の画質改善を行う為に画質改善の効果がほとんどないという課題があった。
【０００６】
本発明は上記事情に鑑みてなされたもので、放送局側から送られてくるＨＤ映像信号がＳＤ映像信号からＨＤ映像信号からアップコンバートされた映像かどうかを検出することが可能なアップコンバート映像検出装置を提供することを目的とする。
【０００７】
【課題を解決するための手段】
上記課題を解決するため本発明にかかるアップコンバート映像検出装置は、送り側でＨＤ映像を撮影したカメラは１６：９であることに着目し、送られてきた映像がＨＤ映像フオーマットと判断した場合、復号した１６：９映像に対して映像部分のアスペクトは４：３、すなわちサイドパネルが付加されているかどうかを検出し、サイドパネルが付加されていると判断した場合送られてきた映像はアップコンバートされた映像であると判断することを特徴とする。
【０００８】
【発明の実施の形態】
（実施の形態１）
図１は本発明の実施の形態１のアップコンバート映像検出装置のブロック図である。図１において、ＭＰＥＧシンタックス解析部１は送られてきた映像のビットストリームのｓｅｑｕｅｎｃｅ＿ｈｅａｄｅｒのｖｅｒｔｉｃａｌ＿ｓｉｚｅが１０８０であれば１０８０Ｉ映像フォーマットと判断し、映像復号部２ではこの情報を元に１０８０Ｉ映像復号を行う。またＭＰＥＧシンタックス解析部１では１０８０Ｉ映像フォーマットと判断した場合にはさらにｓｅｑｕｅｎｃｅ＿ｈｅａｄｅｒのＡｓｐｅｃｔ＿Ｒａｔｉｏ＿ｉｎｆｏｒｍａｔｉｏｎより、２の場合のみサイドパネルが付加されていると判断し、映像復号部２で復号化された信号はアップコンバートされた信号であることを検出することができる。
【０００９】
本実施例では１０８０Ｉフォーマットの説明を行ったが、７２０Ｐフォーマットの場合においても同様である。
【００１０】
（実施の形態２）
図２は本発明の実施の形態２のアップコンバート映像検出装置のブロック図である。図２において、ＭＰＥＧシンタックス解析部１は送られてきた映像のビットストリームのｓｅｑｕｅｎｃｅ＿ｈｅａｄｅｒのｖｅｒｔｉｃａｌ＿ｓｉｚｅが１０８０であれば１０８０Ｉ映像フォーマットと判断し、映像復号部２ではこの情報を元に１０８０Ｉ映像復号を行う。
【００１１】
図３を用いてサイドパネルエリア設定部３を説明する。図３はアスペクト比１６：９の１０８０Ｉ映像信号をあらわしたものである。通常サイドパネルが付加されている場合は映像部分のアスペクト比は４：３であり、残り斜線部がサイドパネル部分となる。このためＭＰＥＧシンタックス解析部１では１０８０Ｉ映像フォーマットと判断した場合にはさらに、少なくともｓｅｑｕｅｎｃｅ＿ｄｉｓｐｌａｙ＿ｅｘｔｅｎｔｉｏｎにより表示領域指定がない場合にはｓｅｑｕｅｎｃｅ＿ｈｅａｄｅｒのｈｏｒｉｚｏｎｔａｌ＿ｓｉｚｅの１／４倍、例えばｈｏｒｉｚｏｎｔａｌ＿ｓｉｚｅ＝１９２０の場合は４８０を算出しさらに水平方向の左右両端から算出した４８０の１／２すなわち２４０画素ずつをサイドパネルエリア設定部３に設定する。
【００１２】
サイドパネル有無判定部４ではサイドパネルエリア設定部３で設定された領域に対して、映像の有無を検出することによってサイドパネルが付加されているかどうかを判断する。
【００１３】
図４を用いてサイドパネル有無判定部４の一実施例を説明する。映像復号部２で復号された信号の１フレーム後に表示すべき信号との差分をフレーム差検出部１０で検出し、検出した画素単位の結果を比較器１１で閾値Ｔｈ１と比較する。閾値Ｔｈ１は、無画部すなわち映像の動きがないと判断できる数値、例えば０に設定する。比較器１１で画素単位に無画部でないと判断した数を累積加算部１２で例えば１垂直期間カウントし、前記結果を比較器１２で無画部と判断できる閾値Ｔｈ２を例えば０と比較し、累積加算部１２の出力がＴｈ２以下であれば無画部、すなわちサイドパネルが付加されていると判定する。
【００１４】
以上のようにサイドパネル有無判定部４により、映像復号部２で復号化された信号はアップコンバートされた信号であることを検出することができる。サイドパネル有無判定部４においてサイドパネルが付加されているかの判定を１垂直期間だけでなく例えば８垂直期間等ヒステリシスを持たせても良い。なお、放送局から送られてくる場合、ＰＩＤ（Ｐａｃｋｅｔ  ｉｄｅｎｔｉｆｉｃａｔｉｏｎ）が変わらなければ番組素材自体も変わらないため、上記検出をピクチャ単位やｓｅｑｕｅｎｃｅ＿ｈｅａｄｅｒが送られてくる単位で行わなくても良い。
【００１５】
本実施例では１０８０Ｉフォーマットの説明を行ったが、７２０Ｐフォーマットの場合においても同様である。
【００１６】
（実施の形態３）
図５は本発明の実施の形態２で説明したアップコンバート映像検出装置においてさらにサイドパネル付加検出精度をあげるためにサイドパネルエリア設定部のエリア領域をさらに限定したものである。図５に示すようにアスペクト比１６：９の１０８０Ｉ映像信号でレターボックス映像信号（塗り潰し部分が無画部分）と呼ばれるものである。
【００１７】
このような映像信号の場合、実施の形態２で説明したようなサイドパネル部の設定だけでは、図４で説明した閾値Ｔｈ１によって誤ってサイドパネル付加と誤検出する場合がある。このため、実施の形態２で説明したようなサイドパネル部の設定から図５に示す無画部分を除いた領域をサイドパネル部分として設定する。この無画部分はフレームで上下３０ライン固定として処理しても良い。
【００１８】
【発明の効果】
以上のように、本発明のアップコンバート映像検出装置によれば、放送局側から送られてくるＨＤ映像信号がＳＤ映像信号からＨＤ映像信号からアップコンバートされた映像かどうかを検出することが可能となる。
【図面の簡単な説明】
【図１】本発明の実施の形態１のアップコンバート映像検出装置のブロック図
【図２】本発明の実施の形態２のアップコンバート映像検出装置のブロック図
【図３】本発明の実施の形態２のサイドパネルエリア設定部の説明図
【図４】本発明の実施の形態２のサイドパネル有無判定部のブロック図
【図５】本発明の実施の形態３のサイドパネルエリア設定部の説明図
【図６】従来例の説明図
【符号の説明】
１  ＭＰＥＧシンタックス解析部
２  映像復号部
３  サイドパネルエリア設定部
４  サイドパネル有無判定部
１０  フレーム差検出部
１１、１３  比較器
１２  累積加算部
【図１】
2004289753.tif 000003
【図２】
2004289753.tif 000004
【図３】
2004289753.tif 000005
【図４】
2004289753.tif 000006
【図５】
2004289753.tif 000007
【図６】
2004289753.tif 000008